【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
配管システムのベッセルを加熱するヒートトレースシステムにおいて、
温度制御システムと、
配管システムのベッセルに隣接する複数のヒートトレース要素と、
配管システムに亘って分布している複数の温度センサモジュールと、
を備えており、
温度制御システムは、少なくとも１つのマイクロプロセッサを備えるプログラム可能なコントローラと、該コントローラに接続された電源とを備えており、
複数のヒートトレース要素は、温度制御システムの電源に接続されており、
複数の温度センサモジュールは、複数の複数のヒートトレース要素における関連するヒートトレース要素に接続されて給電され、
各温度センサモジュールは、配管システムのベッセルの局所の温度を検出する温度センサと、関連するヒートトレース要素からのエネルギーを貯蔵するために、関連するヒートトレース要素に接続されたエネルギー貯蔵装置とを備えており、エネルギー貯蔵装置で貯蔵される関連するヒートトレース要素からのエネルギーは、温度センサモジュールの温度センサを給電するためのものであり、
複数の温度センサモジュールは、温度センサが検出した温度データを温度制御システムに送信するように構成されている、ヒートトレースシステム。
【請求項２】
温度センサは、抵抗温度検出器を備えている、請求項１に記載のヒートトレースシステム。
【請求項３】
複数の温度センサモジュールにおける１つ以上の温度センサモジュールは、検出された温度データを温度制御モジュールに無線で送信するためのＲＦモジュールを備えている、請求項１に記載のヒートトレースシステム。
【請求項４】
ＲＦモジュールは、検出された温度データを、無線メッシュネットワークを介して無線で送信する、請求項３に記載のヒートトレースシステム。
【請求項５】
ＲＦモジュールは、ＩＥＥＥ８０２．１５．４規格を用いてデータを無線で送信する、請求項４に記載のヒートトレースシステム。
【請求項６】
各温度センサモジュールは、温度センサに接続されたマイクロコントローラを備えており、エネルギー貯蔵装置は、マイクロコントローラ及び温度センサに給電する、請求項１に記載のヒートトレースシステム。
【請求項７】
各温度センサモジュールは、検出された温度データを温度制御モジュールに無線で送信するためのＲＦモジュールを更に備えており、温度センサモジュールのエネルギー貯蔵装置は、ＲＦモジュールに接続されて給電する、請求項６に記載のヒートトレースシステム。
【請求項８】
エネルギー貯蔵装置は、スーパーキャパシタを備えている、請求項７に記載のヒートトレースシステム。
【請求項９】
温度制御装置の電源は、複数の電圧レギュレータを備えており、各ヒートトレース要素は、複数の電圧レギュレータの１つと接続されている、請求項８に記載のヒートトレースシステム。
【請求項１０】
複数の電圧レギュレータは、複数のシリコン制御整流器を備えている、請求項９に記載のヒートトレースシステム。
【請求項１１】
プログラム可能なコントローラの少なくとも１つのマイクロプロセッサは、送信された温度データをヒートトレースの所望の設定温度と比較して、比較に基づいて電圧レギュレータの動作周期を制御するようにプログラムされている、請求項９に記載のヒートトレースシステム。
【請求項１２】
複数の温度センサモジュールは、それらのエネルギー貯蔵装置の貯蔵レベルを温度制御システムに送信するように構成されている、請求項１１に記載のヒートトレースシステム。
【請求項１３】
温度センサは抵抗温度検出器を備えており、複数の温度センサモジュールにおける１つ以上の温度センサモジュールは、検出された温度データを温度制御モジュールに無線で送信するためのＲＦモジュールを備えている、請求項１２に記載のヒートトレースシステム。
【請求項１４】
各温度センサモジュールは、温度センサモジュールの関連するヒートトレースから温度センサモジュールのエネルギー貯蔵装置に与えられる電圧を報告し、プログラム可能なコントローラは、その電圧を予想電圧と比較して、ヒートトレースの電圧レギュレータとヒートトレースとの間に支障を来した電気接続があるか否かを判定する、請求項１２に記載のヒートトレースシステム。
【請求項１５】
各温度センサモジュールは、温度センサモジュールの関連するヒートトレースから温度センサモジュールのエネルギー貯蔵装置に与えられる電圧を検出する電圧センサを備えている、請求項１４に記載のヒートトレースシステム。
【請求項１６】
配管システムのベッセルを加熱するヒートトレースシステムにおける報告方法であって、
前記ヒートトレースシステムは、
温度制御システムと、
配管システムのベッセルに隣接する複数のヒートトレース要素と、
配管システムに亘って分布している複数の温度センサモジュールと、
を備えており、
温度制御システムは、少なくとも１つのマイクロプロセッサを備えるプログラム可能なコントローラと、該コントローラに接続された電源とを備えており、
複数のヒートトレース要素は、温度制御システムの電源に接続されており、
各温度センサモジュールは、配管システムのベッセルの局所の温度を検出する温度センサを備えており、
前記方法は、
各センサモジュールを用いて、複数のヒートトレース要素における関連するヒートトレース要素に亘る電圧差でエネルギー貯蔵装置にエネルギーを貯蔵する工程と、
エネルギー貯蔵装置からの貯蔵されたエネルギーを用いて各センサモジュールに給電する工程と、
複数の温度センサモジュールを用いて、温度センサで検出された温度データを温度制御システムに送信する工程と、
を含む、方法。
【請求項１７】
少なくとも１つの温度センサモジュールの電圧センサを用いて、少なくとも１つの温度センサモジュールの関連するヒートトレースから少なくとも１つの温度センサモジュールのエネルギー貯蔵装置に与えられる電圧を検出する工程と、
少なくとも１つの温度センサモジュールを用いて、少なくとも１つの温度センサモジュールの関連するヒートトレースから少なくとも１つの温度センサモジュールのエネルギー貯蔵装置に与えられる検出された電圧を報告する工程と、
温度制御システムのプログラム可能なコントローラを用いて、エネルギー貯蔵装置に与えられる電圧を予想電圧と比較して、ヒートトレースの電圧レギュレータとヒートトレースとの間に支障を来した電気接続があるか否かを判定する工程と、
を更に含んでいる、請求項１５に記載の方法。
【請求項１８】
エネルギー貯蔵装置は、スーパーキャパシタを備えている、請求項１６に記載の方法。
【請求項１９】
温度制御装置の電源は、複数の電圧レギュレータを備えており、各ヒートトレース要素は、複数の電圧レギュレータの１つと接続されている、請求項１８に記載の方法。
【請求項２０】
複数の電圧レギュレータは、複数のシリコン制御整流器を備えている、請求項１９に記載の方法。
【請求項２１】
温度制御システムを用いて、送信された温度データをヒートトレースの所望の設定温度と比較する工程と、
温度制御システムを用いて、比較に基づいて電圧レギュレータの動作周期を制御する工程と、
を更に含んでいる、請求項１９に記載の方法。
【請求項２２】
複数の温度センサモジュールを用いて、それらのエネルギー貯蔵装置の貯蔵レベルを温度制御システムに送信する工程を更に含んでいる、請求項２１に記載の方法。